(57)【特許請求の範囲】
【請求項１】
予め形成した基板上パターンの開口部に、複数のノズルからインクを吐出し、基板上に画素部を形成する吐出パターン生成装置であって、
前記ノズル及び前記基板のパラメータ情報から有効なノズルを選択する手段と、
前記有効なノズルから吐出するインクのドロップ数の増減数を関数を用いて決定する手段を具備し、
前記関数は、ざらつき感を軽減した乱数であり、
前記ざらつき感を軽減した乱数とは、乱数から空間周波数の低周波数部分を除去した乱数であり、
前記有効なノズルから、前記ドロップ数を増減するノズルをランダムに選択する手段を具備する
ことを特徴とする吐出パターン生成装置。
【発明の詳細な説明】
【技術分野】
【０００１】
本発明は、高精細なパターンを吐出するための吐出パターン生成方法及び吐出パターン生成装置に関するものであり、カラーフィルタの製造方法および有機機能性素子の製造方法に関する、特に隔壁パターンに対し一定量の液滴を吐出させるために適したインクジェット吐出装置に関する。
【背景技術】
【０００２】
カラーフィルタの基板サイズは年々大型化が進んでいる。従来では、フォトリソグラフィー工程を繰り返す顔料分散法等が用いられてきたが、カラーフィルタのコストダウン化を図るために、近年は工程数が少なく、カラーフィルタの各着色層を同時に形成することが可能なインクジェット装置を用いた方法が検討されている。
【０００３】
インクジェット装置を用いたカラーフィルタの製造方法としては、隔壁で区切られた開口部に、インクジェットノズルヘッドのノズルからカラーフィルタの各色に対応する着色インクを吐出し、各着色層を形成する方法が一般的である。このとき、各開口部に吐出、充填されるインクの充填量のバラツキが小さいほどカラーフィルタの色ムラが低減され、高品質なカラーフィルタを製造することができる。
【０００４】
一方、カラーフィルタとしては、画像表示装置等の高解像度化、それに伴う高精細化によって、年々微細化する傾向にある。カラーフィルタの画素の微細化に従って、インクジェットで塗工するパターンピッチは狭くなっていくため、インクジェットノズルヘッドからのインクの吐出量を少量でかつ均一となるように高い精度で制御する必要がある。このため、インクジェット装置を用いたカラーフィルタの製造方法においては、複数のインクジェットノズルヘッドを積み重ねて解像度を向上させる方法が検討されている。
【０００５】
しかしながら、インクジェットノズルヘッドから吐出されるインク量は、ノズルごとにバラツキを持っているために、吐出量が異なる場合がある。特に、複数のインクジェットノズルヘッドを積み重ねた、高解像度を目的とする吐出装置の場合には、一つのノズルから吐出されるインク量がごく微小量のために、バラツキは相対的に大きいものとなってしまう。
【０００６】
この場合、各開口部に対し、同量のインクを充填するために、各ノズルから同じ回数のインクを吐出したとしても、ノズルごとのバラツキにより最終的なインクの充填量に差が生じてしまい、各画素間の色ムラとなってカラーフィルタの品質および歩留まりを低下させる原因となっていた。
【０００７】
結果として、同一ノズルヘッドセットの組み合わせによって吐出した各々の隔壁開口部（以下、セル）への吐出量はほぼ等しくなるために、同一ノズルヘッドセットで形成した吐出パターンのライン（以下、セルライン）と、異なるノズルヘッドセットにより形成したセルラインでの吐出量の差がインクの平均総液量となり、そのバラツキのために視覚的に色ムラとして現われてしまうことになる。
【０００８】
このような問題の解決のため、ノズルごとの吐出バラツキを抑える手段として、例えばノズルごとに駆動電圧値を変更できる回路装置を組み込み、理想吐出量と実際の吐出量を比較し、吐出量を調整することでムラを低減する方法が、特許文献１に掲載されている。
【０００９】
しかしながら上記特許文献１に示すように、ノズル毎に駆動電圧値を変更し、補正するには、各ノズルのバラツキや、隣接ノズルが同時タイミングで吐出している場合、または吐出していない場合では吐出量が異なる隣接のクロストークによる影響等を、全て把握する必要がある。このため、何回も吐出し、その測定を繰り返し行い、各ノズルの吐出バラツキが無くなるまで作業をするため、膨大な時間や材料を使用する問題があった。
【００１０】
同様の問題は、予め基板上に隔壁を形成した、その開口部に１層あるいは複数の有機機能層を積層した有機ＥＬ素子、または有機太陽電池等の有機機能性素子を、インクジェット法を用いて製造した際にも生じる。例えば、有機ＥＬ素子においては、吐出装置からの有機機能性インクを吐出し、形成した発光層にムラやバラツキが生じていると、全体として発光ムラやバラツキの目立った有機ＥＬ素子のとなってしまう。
【００１１】
以下に公知文献を記す。
【特許文献１】特開２００４−９０６２１号公報
【発明の開示】
【発明が解決しようとする課題】
【００１２】
本発明は、これら上記の問題を鑑みてなされたもので、ノズル毎に吐出量を測定した後、そのバラツキを補正することにより、駆動電圧を変更することなく、ノズル毎の吐出バラツキによる濃度むらが発生し品質低下しない、高品質なカラーフィルタ及び有機機能性素子を製造することができる吐出パターン生成装置を提供することを課題としている。
【課題を解決するための手段】
【００１３】
本発明の一実施形態に係る発明は、予め形成した基板上パターンの開口部に、複数のノズルからインクを吐出し、基板上に画素部を形成する吐出パターン生成装置であって、前記ノズル及び前記基板のパラメータ情報から有効なノズルを選択する手段と、前記有効なノズルから吐出するインクのドロップ数の増減数を関数を用いて決定する手段を具備することを特徴とする吐出パターン生成装置であり、前記関数は、ざらつき感を軽減した乱数であることを特徴とする。
【００１５】
本発明の一実施形態に係る発明は、前記有効なノズルから、前記ドロップ数を増減するノズルをランダムに選択する手段を具備することを特徴とする吐出パターン生成装置である。
【００１６】
本発明の一実施形態に係る発明は、複数のノズルを有する複数のノズルヘッドからなる吐出パターン生成装置であって、ノズルヘッドごとに、ノズルから一回に吐出するインクの吐出量を設定する手段を具備することを特徴とする吐出パターン生成装置である。
【００１７】
本発明の一実施形態に係る発明は、予め形成した基板上パターンの開口部に、複数のノズルからインクを吐出し、基板上に画素部を形成する吐出パターン生成方法であって、前記ノズル及び前記基板のパラメータ情報から有効なノズルを選択する工程と、前記有効なノズルから吐出するインクのドロップ数の増減数を関数を用いて決定する工程とを備えたことを特徴とする吐出パターン生成方法であって、前記関数は、ざらつき感を軽減した乱数であることを特徴とする。
【００１９】
本発明の一実施形態に係る発明は、前記有効なノズルから、前記ドロップ数を増減するノズルをランダムに選択する工程を備えたことを特徴とする吐出パターン生成方法である。
【００２０】
本発明の一実施形態に係る発明は、複数のノズルを有する複数のノズルヘッドからなる吐出パターン生成方法であって、ノズルヘッドごとに、ノズルから一回に吐出するインクの吐出量を設定する工程を備えたことを特徴とする吐出パターン生成方法である。
【００２１】
本発明の一実施形態に係る発明は、前記ドロップ数の増減数が、同一ノズルヘッドによって開口部に吐出したインクの平均総液量の理想値からのズレの大きさにより重み付けされることを特徴とする吐出パターン生成方法である。
【００２２】
本発明の一実施形態に係る発明は、乱数によって増減させる前の前記ドロップ数を、前記平均総液量の理想値に最も近くなるように設定されることを特徴とする吐出パターン生成方法である。
【００２３】
本発明の一実施形態に係る発明は、前記ドロップ数の増減数の最大値が、同一ノズルヘッドによる各開口部の平均総液量のバラツキの程度によって決定されることを特徴とする吐出パターン生成方法である。
【００２４】
本発明の一実施形態に係る発明は、基板上に隔壁パターンと、該隔壁パターンの開口部に着色層を形成するカラーフィルタの製造方法であって、前記吐出パターン生成方法により、着色層を形成することを特徴とするカラーフィルタの製造方法である。
【００２５】
本発明の一実施形態に係る発明は、基板上に隔壁パターンと、該隔壁パターンの開口部に一層あるいは複数の有機機能層を形成する有機機能性素子の製造方法であって、前記吐出パターン生成方法により、有機機能層を形成することを特徴とする有機機能性素子の製造方法である。
【発明の効果】
【００２６】
本発明の一実施形態に係る吐出パターン生成装置によって、各セルに吐出するインクの吐出量にランダムなバラツキを与える等の関数手段を有することにより、セルごとに実際に吐出するドロップ数に幅を持たせることで、セルライン内に一定幅のバラツキを持たせ、セルラインごとの平均吐出量のバラツキを目立たなくすることができ、これにより全体的な色ムラを低減することができる。
【００２７】
本発明の一実施形態に係る吐出パターン生成装置によって、ランダムなバラツキであっても、目視観察等を実施した際、ざらつき感を低減することができた。
【００２８】
本発明の一実施形態に係る吐出パターン生成装置によって、ドロップ数を増減させるノズルをランダムに選択することにより、各ノズルの吐出量のバラツキから生じる色ムラを低減することができ、全体として各セル間の吐出量のバラツキを低減することができた。
【００２９】
本発明の一実施形態に係る吐出パターン生成装置によって、ノズルヘッドごとに吐出量を調整することが可能となり、各セルラインの平均総液量を理想総液量に近づけることができ、セルラインごとの膜厚のバラツキを低減し、膜厚の少ない吐出パターンを形成することが可能となった。
【００３０】
本発明の一実施形態に係る吐出パターン生成方法によって、各ノズルから吐出するインクの吐出量にバラツキを与えることにより、あらかじめ各ノズル間で生じていた吐出量のバラツキによる各セル間の吐出量のバラツキを軽減することができた。
【００３１】
本発明の一実施形態に係る吐出パターン生成方法によって、ドロップ数を増減させるノズルをランダムに選択することにより、各ノズルラインの吐出量のバラツキから生じる色ムラを低減することができ、全体としてのセルラインの総液量のバラツキを低減することができた。
【００３２】
本発明の一実施形態に係る吐出パターン生成方法によって、ノズルの吐出量のバラツキの程度に合わせたインクの吐出の制御が容易にでき、さらに吐出量の理想値からのずれを補正できることにより、より理想総液量に平均総液量を近づけることが可能となり、吐出パターンの生成ができた。
【００３３】
本発明の一実施形態に係る吐出パターン生成方法によって、平均量を理想値に近づけることができたことにより、より少ない増減させるドロップ数の最大値によって、理想総液量に近づけることが可能となった。
【００３４】
本発明の一実施形態に係る吐出パターン生成方法によって、不同一ノズルヘッドによる各セルラインの平均総液量のバラツキとノズルごとの吐出量バラツキから生じる各セルの総液量のバラツキを近づけることでより均質で色ムラの少ない吐出パターンの生成が可能となり、請求項７に係る発明を含む場合、同一ノズルヘッドで増減させるドロップ数の最大値の幅が広がるために、各セルの平均総液量のバラツキと同一ノズルヘッドによるセルライン内の総液量のバラツキを合わせることが容易になった。
【００３５】
本発明の一実施形態に係る発明によって、より均質な着色層が形成できた。このことにより高精細で色むら、バラツキの少ない高品質なカラーフィルタがより短時間で製造可能となった。
【００３６】
本発明の一実施形態に係る発明によって、より均質な膜厚の有機機能層が形成することができ、発光ムラの少ない有機ＥＬ素子等、高品質な有機機能性素子を製造することが可能となった。
【発明を実施するための最良の形態】
【００３７】
図１は、本発明の吐出パターン生成装置の全体構成の一例である。本発明吐出パターン生成装置には、複数のインクジェットノズルを複数列組み合わせて配置したインクジェットノズルヘッド１を複数個配列したインクジェットノズルヘッドユニット２を持つ構成である。カラーフィルタを生成するためには、着色層を形成する各色（例えばＲ、Ｇ、Ｂ）のインクの吐出を行う必要があるため、前述した複数個並んでいるインクジェットノズルヘッドの組み合わせが各色配置されている。また、インクジェットノズルヘッドユニットは主走査方向に移動し、画像描画を行う。
【００３８】
基板置き台３は、主走査方向と直行する副走査方向に移動可能であり、さらにθ方向に回転可能である。θ方向に回転可能なため、基板置き台の上に置かれた基板の隔壁とインクジェットノズルヘッドユニットを平行に合わせることができ、副走査方向に動作させることで画像描画を行うことができる。また、基板置き台には図示されていないが吸着機構
を備えており、基板置き台におかれた基板を固定することが可能である。
【００３９】
本発明の吐出パターン生成装置は、少なくともインクを隔壁の開口部に吐出するためのインクジェットノズルヘッドに存するノズルと、あらかじめ入力されたパラメータ情報に基づいて位置情報を認識あるいは計測し、これを出力する手段と、ノズルから吐出するインクのドロップ数の増減を関数を用いて決定する手段とを有する。さらには、ドロップ数を増減させるノズルをランダムに選択する手段を有する吐出パターン生成装置である。なお、パラメータ情報とは、例えば基板のサイズ、形成パターン等の事前に入力される情報と、ノズル及び基板の位置等の逐次入力されるノズル及び基板に係る情報を合わせた、吐出パターンに係る情報である。
【００４０】
本発明に用いる関数は、ざらつき感を低減するための乱数である。通常乱数は、図８に示すような形態である。このパワースペクトルは、図９に示すような形態である。
【００４１】
一方、画像評価手法に関する公知文献では、人間の目で対象物を観察する際、敏感に知覚するかどうかの一つの尺度として、ＭＴＦあるいはＶＴＦを用いることが一般的である。
【００４２】
この関数で、知覚に敏感なのは、空間周波数における低周波数部分である。そこで、乱数の中で、該当する周波数成分を除去した乱数を画像に展開すると、ざらつき感が低減されることが、実験等で確認されている。
【００４３】
その乱数の一例を図１０に示す。またそのパワースペクトルを図１１に示す。
【００４４】
本発明に用いるインクジェットノズルヘッド及びインクを吐出するためのノズルは、複数のノズルが配置された構成のものであれば適用可能であるが、図２のように、一列に配置されたノズルが、複数の組み合わされているものを用いる。この場合、各相のノズルは各々異なったタイミングでインクを吐出される。例えば図２はインクジェットノズルヘッド１の断面図の模式図であるが、ノズルＡ相、ノズルＢ相、ノズルＣ相（以下Ａ相、Ｂ相、Ｃ相と記す）の同じ行からインクが吐出されるタイミングはＡ、Ｂ、Ｃの順でずれる。この方式（以下、シェアウェーブモードと記載）では各ノズルの間隔、例えばＡ層〜Ｂ層、Ｂ層〜Ｃ層を狭め、高密度なインクジェットノズルヘッドとすることができるために、高精細な吐出パターン形成が必要なカラーフィルタの製造に適している。
【００４５】
このインクジェットノズルヘッド１は、Ａ相、Ｂ相、Ｃ相に対応するバッファ（以下、ラインバッファと記載）を備えていて、各相のラインバッファは相互に情報を転送することができる。このインクジェットノズルヘッドから吐出されるまでの簡単な動作フローを図３に示す。
【００４６】
まず、Ａ相ラインバッファが、吐出パターン情報を受けとり、その転送された情報のうちＡ相に関する情報に基づいてＡ相インク吐出口から吐出を開始する。また、Ａ相インク吐出口から吐出開始と同時に、吐出パターン情報をＡ相ラインバッファからＢ相ラインバッファに転送する。Ａ相インク吐出口から吐出終了後、Ｂ相インク吐出口は、転送された吐出パターン情報のうちＢ相に関する情報に基づいて吐出を開始する。また、Ｂ相インク吐出口から吐出開始と同時に、吐出パターン情報をＢ相ラインバッファからＣ相ラインバッファに転送する。Ｂ相インク吐出口から吐出終了後、Ｃ相インク吐出口は、転送された吐出パターン情報のうちＣ相に関する情報に基づいて吐出を開始する。Ｃ相インク吐出口から吐出終了後、ラインカウンターにて設定回数ライン吐出を行ったかどうかの判定を行い、設定回数の吐出が行なわれていなければ、吐出パターン情報をＡ相ラインバッファに転送する。再び、Ａ相インク吐出口は吐出パターン情報に基づいて吐出開始する。以下、前述した動作をライン数分繰り返し行い、所望の吐出パターンを作成する。
【００４７】
以上がシェアウェーブモードでの吐出制御方法であるが、本発明の吐出装置はその他の方式でも問題ない。以下、本発明の吐出パターン形成方法によってカラーフィルタを形成する場合を例に説明するが、その他の光学素子、例えば有機ＥＬ素子の場合であれば発光層の各色画素を形成する場合にも同様に本発明を用いることができる。
【００４８】
吐出パターン情報に基づいてインクジェットノズルヘッドのノズルからインクを吐出する制御手段として、例えばインクジェットノズルヘッドコントローラー４を吐出装置に接続する。インクジェットノズルヘッドコントローラー４は、インクジェットノズルヘッドを駆動し、インクジェットノズルヘッドパラメータ情報と吐出パターンが格納されている。インクジェットノズルヘッドパラメータ情報は、インクジェットノズルヘッドを駆動させるための情報である。吐出パターン情報は、インクジェットノズルヘッドの位置情報を引数として、特定のノズルの吐出についての情報が格納されている。吐出を行う際にインクジェットノズルヘッドコントローラーから各ノズルに吐出パターン情報が転送され、描画を行うことが可能である。
【００４９】
また、上記インクジェットノズルヘッドコントローラー４のインクジェットノズルヘッドを駆動させるためのインクジェットノズルヘッドパラメータ情報には、インクジェットノズルヘッドごとに最適の電圧値のパラメータを設定できることが好ましい。全てのインクジェットノズルヘッドの駆動電圧を同じ値に設定すると、インクジェットノズルヘッドから吐出される液滴の量が個体差により変わるため、基板内にインクを均一に吐出することができなくなるおそれがある。インクジェットノズルヘッドごとに最適の電圧値のパラメータを設定できるようにすることによって、インクジェットノズルヘッドごとの吐出量を制御することが可能となり、各セルの吐出量を調整することができる。
【００５０】
本発明の有する、位置情報を認識、または計測し、これを出力する手段は、予め入力されたカラーフィルタのサイズ、隔壁パターンのピッチ、画素部のパターン（ストライプ配列、セル配列、モザイク配列等の情報配列パターンを含む）等のカラーフィルタ基板のパラメータと、インクジェットノズルヘッド及びノズルの位置情報（ヘッドの位置ずれ情報を含む）と、吐出装置の基板の置き台の移動量等のパラメータ（以下、合わせて吐出パターン情報と記載）から、ノズルから基板上に吐出されるインクの着弾位置を算出する。あるいは、吐出装置に設置されたカメラによって、基板表面の画像を取得し、処理し、インクの着弾位置を算出することもできる。
【００５１】
基板上の隔壁パターンに対してインクジェットノズルヘッド及びノズルの位置が算出した後、この情報を基に、インクの着弾位置が、画素部の形成位置（目的とする隔壁開口部：セル）であるか否かをプログラムにより処理判断する。着弾位置が目的とする隔壁開口部に該当する場合のみ有効なノズルとして認識され、そうではないノズルからは吐出されない。
【００５２】
図４は、ノズルが有効か否かの判断の具体例である。インクジェットノズルヘッドのノズル５のうち、カラーフィルタ基板の開口部の直上部にあたるノズルについては有効と判断され、それ以外のノズルは無効と判断し、吐出パターン情報を生成する。そして、この吐出パターン情報に従って、各インクジェットノズルヘッドのノズルは目的とするセル内にインクを吐出する。
【００５３】
ここで本発明の吐出装置及び吐出方法を用いない場合には、セルライン内においては、セルごとの吐出量のバラツキが小さい場合、つまり各セルの吐出量の標準偏差が小さい場合（セルライン内の吐出量の標準偏差）でも、各セルライン間の吐出量の標準偏差（セル
ライン間の吐出量の標準偏差）が、セルライン内の吐出量の標準偏差に比べて大きいために、全体として視覚的に色ムラの大きいカラーフィルタとなってしまう。
【００５４】
そこで本発明の吐出パターン形成装置は、有効なノズルから吐出するインクのドロップ数の増減数が乱数を用いて決定する手段を有することによって、この問題を解決する。つまり、ある一定規定量のドロップ数（以下、基本ドロップ数）から、各セルごとに実際に吐出するドロップ数に幅を持たせることで、セルライン内に任意のバラツキを持たせ、各セルラインごとの平均吐出量のバラツキを目立たなくすることができ、これにより全体的な色ムラを低減することができる。
【００５５】
ここで、ノズルから吐出するインキのドロップ数の増減数を乱数を用いて決定する手段は、上述の有効なノズルから吐出するノズルを選択し、さらに、演算用計算機により、乱数を用いて、吐出するインキのドロップ数を規定の値から任意の増減を与える。あらかじめ設定した増減数の範囲内で、ランダムに増減数を振り分けることで、画素部の各セルに吐出するインキのドロップ数に幅を持たせ、ノズルごとの吐出量バラツキによる各画素間の色ムラを低減することが可能となる。各セルラインにおいて、ランダムにドロップ数の増減を与えることによって、意図的にセルライン間の吐出量の標準偏差と、セルライン内の吐出量の標準偏差を近づけることができるからである。
【００５６】
また、理想的な着色層の膜厚を形成するためのインキの理論総液量を吐出することが理想であるが、課題でも述べたように、ノズルごとの吐出量のバラツキ、クロストークの影響などによって、実際の平均インキ総液量は、理論インキ総液量からずれている場合がある。そこで、実際に吐出された（各セルラインにおける）平均インキ総液量が多い場合には、増減するドロップ数が減少する方向に乱数の割り振りに加重を掛ける事により、平均インキ総液量を理論値により近い値にすることが可能であり、より高品質なカラーフィルタが製造できる。例えば、平均総液量が理論層液量よりも多い場合には、ドロップ数が減少する割合よりも増加する割合が増えるように、ランダム関数を増減するドロップ数に割り振る。
【００５７】
なお、インキの平均総液量が理論総液量に比べて大きな液量差がある場合には、ノズルから吐出する基本ドロップ数を増減すればよい。これにより平均総液量と理論総液量の差を１ドロップ以下にすることができる。従来の方法、例えばノズルからの１ドロップの吐出量を増減する方法も考えられるが、ノズルヘッドごとにノズルからの吐出量を設定する場合には、ノズルヘッド全体でノズルからの吐出量が変わってしまうために、液量の調整は困難である。
【００５８】
そこで、本発明のように、ドロップ数の増減を決定する乱数の割り振りに加重を掛ける事により、さらに理論インキ総液量に近い値まで平均インキ総液量を近づけることが可能となる。
【００５９】
また、本発明の吐出パターン生成装置においては、ドロップ数を増減させるノズルをランダムに選択する手段を有することが好ましい。吐出するノズルの選択に乱数を用いてランダムに指定することによって、各ノズルの吐出量のバラツキから生じるムラを軽減することができ、全体として各セル間の吐出量のバラツキをより低減することが可能となる。
【００６０】
本発明は、インクジェット法を用いたパターンの形成において、画素部の膜厚のバラツキを軽減し、ムラをなくすものであるから、インクジェット法を用いた素子の作製に適用可能である。以下に本発明を用いた素子の製造方法の例として、カラーフィルタ及び有機機能性素子の製造方法を説明する。
【００６１】
カラーフィルタあるいは有機機能性素子のいずれの素子の製造についても、基板上に隔壁が形成し、そこに画素部を形成することにより作成できる。
【００６２】
基板について以下に説明する。基板は、印刷物の支持基板として用いるものである。目的とする光学素子により、基板の種類は異なるが、例えば、ガラス基板、石英基板、プラスチック基板等、ドライフィルム等、公知の透明基板材料を使用することができる。中でもガラス基板は、カラーフィルタ、有機ＥＬ素子用途において、透明性、強度、耐熱性、耐候性において優れている。
【００６３】
隔壁について以下に説明する。本発明ではインキジェット印刷装置により基板にインキを付与し、カラーフィルタあるいは有機機能性素子を形成する。異なる種類のインキ同士の混色（又は混合）を防止するため、基板上に予め隔壁を形成することが好ましい。
【００６４】
隔壁は、基板の表面を多数の領域に区分けすると共に、この多数の領域のそれぞれに吐出されたインクの混色を防止する機能を有するものである。混色を防止するため、隔壁には一定の撥インク作用を示すものを用いることが望ましい。例えば、撥インク剤を含む樹脂組成部により隔壁を形成する方法、樹脂組成物により形成した隔壁にプラズマ処理を行い撥インク性を付与する方法、隔壁を光触媒層とともに形成し光触媒作用により隔壁に撥インク性を付与する方法などを例示することができる。また、ディスプレイの表示画面を構成するカラーフィルタ、有機ＥＬ素子においては、この隔壁に遮光性を付与することで、表示画面のコントラストを向上させることができる。いずれの場合であっても、隔壁を樹脂組成物より形成する場合には、樹脂バインダーと撥インク剤とを必須成分として含有する必要がある。
【００６５】
隔壁は印刷法、フォトリソグラフィー法等の公知の隔壁形成方法により形成することができる。
【００６６】
カラーフィルタの製造方法について以下に説明する。カラーフィルタを形成する場合、まず前記の基板上に、上記の方法で隔壁を形成する。着色インクを使用して、本発明の吐出パターン形成装置により着色層を形成する。着色インクは、着色顔料、溶媒、樹脂バインダーを必要に応じて含むことができる。
【００６７】
有機機能性素子の製造方法について以下に説明する。有機ＥＬ素子または有機太陽電池、あるいは有機半導体を形成する場合にもまず前記の基板上に、隔壁を形成する。インクに有機発光材料を含むものとし、本発明の吐出パターン生成装置及び吐出方法を用いて基板上に吐出、有機機能層を形成し製造することができる。このインクは、有機発光材料、溶媒、樹脂バインダーを、必要に応じて含むことができる。溶媒、樹脂バインダーは、前記隔壁の形成で掲げたものと同様の材料を使用することができる。
【００６８】
有機発光材料について以下に説明する。有機発光材料としてクマリン系、ペリレン系、ピラン系、アンスロン系、ポルフィレン系、キナクリドン系、Ｎ，Ｎ’−ジアルキル置換キナクリドン系、ナフタルイミド系、Ｎ，Ｎ’−ジアリール置換ピロロピロール系、イリジウム錯体系等の有機溶剤に可溶な有機発光材料や該有機発光材料をポリスチレン、ポリメチルメタクリレート、ポリビニルカルバゾール等の高分子中に分散させたものや、ポリアリーレン系、ポリアリーレンビニレン系やポリフルオレン系などの高分子有機発光材料が挙げられる。
【００６９】
本発明の吐出装置による吐出パターン生成方法を具体例により説明する。
【００７０】
まず、前述したように吐出パターンに従って、ノズルの有効・無効が判断される。基板
上の隔壁開口部に存在し、かつ画素部に形成する画素に対応するインクを吐出するノズルを有効とする（図４参照）。
【００７１】
次に、一つのセル内にある有効なノズルの数（以下、吐出ノズル数）Ｎは、各セルに充填するインクの総液量や、セルのサイズ等によって任意に決定することが出来る。
【００７２】
一つのノズルから一回に吐出されるインクの量（１ドロップの吐出量）がａとし、全ての吐出ノズルからのインクのドロップ数（基準ドロップ数）をＤとすると、インクの理想総液量ＭはＤ×ａで表され、各ノズルに割り当てられるドロップ数ｄはＤ／Ｎとその余りとなる。
【００７３】
図５は、有効なノズルから、矢印で示されている吐出するノズルを、各セルの中で選択する説明図である。選択する方法は任意であるが、一定の組み合わせでノズルを選択した場合、ノズルの吐出量のバラツキによって、各セルの総液量に偏りが生じる恐れがあるので、ランダムに吐出するノズルを選択することが好ましい。ランダムに吐出ノズルを選択することにより、各ノズルの吐出量のバラツキによる各セル間の総液量の差を緩和することができるからである。図５は選択されたノズルが一つのセル中に一つの場合、図６は複数ある場合の模式図である。
【００７４】
次に、本発明においては、インクの理想総液量Ｍに対して、Ｍよりも小さいある設定量ｍを理想総液量Ｍからの増減量として想定する。この設定量ｍは、例えば、実際の各セルライン内のセルの総液量のバラツキ（標準偏差）から算出される。前述のように、このセルライン内の吐出量の標準偏差と、セルライン間の平均吐出量の標準偏差が近く、さらに平均吐出量が各セルライン間で一致するように調整することが好ましい。
【００７５】
さらに、ここで実際の平均総液量Ｍ´と理想総液量Ｍとの差を考慮し、各セルラインのドロップ数を調整する。ここで調整により、理想総液量からできるだけ近しくなることが望ましい。例えば、増減するドロップ数は、平均総液量Ｍ´と理想総液量Ｍとの差と、１ドロップのインク吐出量によって決定することができ、調整後のドロップ数Ｄ’は以下のように書くことができる。
【００７６】
【数１】
0005458474.tif 000002
なお、  Ｍは、理想総液量
Ｍ´は、平均総液量
Ｄは、基準ドロップ数（理想ドロップ数）
Ｄ’は、調整後のドロップ数
ａは、１ドロップの吐出量である。
【００７７】
上記のようなドロップ数の調整によって、平均総液量は理想総液量に近づけることができ、調整後の平均総液量Ｍ´´となる。理想総液量Ｍ、平均総液量Ｍ´、調整後の平均総液量Ｍ´´、設定量ｍ、吐出ノズル数Ｎ、１ドロップの吐出量ａ、基準ドロップ数Ｄ、ドロップ数の増減数基準値ｂ等の各設定パラメータは、吐出パターン情報としてあらかじめ設定、格納される。
【００７８】
次に、設定パラメータと乱数を用いて、各セルにおけるドロップ数Ｄ（ｘ）を決定する。ここでｘは各セルを表すシンボルとする。調整後の平均総液量Ｍ´´が理論総液量Ｍと等しい場合、ドロップ数Ｄ（ｘ）を決定する式は、ドロップ数の増減数をｂ−ｉとして、例えば以下のように書くことができる。
【００７９】
【数２】
0005458474.tif 000003
なお、  Ｄ（ｘ）は、ドロップ数数式
ｂは、ドロップ数の増減数基準値
ＲＡＮＤ（ｘ）は、乱数を生成する関数である。
【００８０】
ここでＲＡＮＤ（ｘ）は０以上１以下の実数の乱数を生成する関数を表す。調整後の平均総液量Ｍ´´が理論総液量Ｍと異なる場合、ドロップ数Ｄ（ｘ）を決定する式は、ドロップ数の増減数をｂ−ｊとして、例えば以下のように書くことができる。
【００８１】
【数３】
0005458474.tif 000004
なお、  ｊは、整数である。
【００８２】
上記の式によって、例えば実際の平均総液量Ｍ´´が理想総液量よりも多い場合には、各セルのドロップ数は、確率的に基準ドロップ数よりも少ないドロップ数に傾き、結果として、補正された平均総液量は理想総液量に近い値となる。
【００８３】
また、上記ドロップ数を増減するノズルをランダムに選択することにより、各ノズルの吐出量のバラツキによる、総液量の偏りを軽減することができる。
【００８４】
また、決定されたドロップ数の増減値が、連続するセル間で一定以上偏った場合には、再度乱数によって計算しなおし、一定以上の偏りをなくすことも可能である。
【００８５】
以上のように、本発明の方法によれば、ノズルごとの吐出量のバラツキを測定し、ノズルごとに吐出量を補正するといった煩雑な作業を伴わず、各画素間の色ムラを低減することが可能となる。さらに、同一ノズルにおける吐出回ごとの吐出量のバラツキに対しても、影響を低減することができる。
【００８６】
次に、実施例１として、本発明のカラーフィルタの製造方法を説明する。
【実施例１】
【００８７】
隔壁の形成した。以下に説明する。撥インク性を付与する材料を含有した感光性樹脂組成物として、下記組成比で配合した黒色感光性樹脂組成物を用いた。基板としては無アルカリガラス（１７３７：コーニング（株）製）を用い、その上にこの黒色感光性樹脂組成物をスピンコート法により塗布し、温度９０℃のホットプレートにて１分間プリベーク処理をして基板上に膜厚２．０μｍの被膜を形成した。
【００８８】
感光性樹脂組成物の組成は、
シクロヘキサノン（沸点１５５．７℃）                                  ８０重量部クレゾール−ノボラック樹脂：ＥＰ４０５０Ｇ（旭有機材工業（株）製）    １５重量部メラミン樹脂：ＭＷ３０（三和ケミカル（株）製）                          ５重量部カーボン顔料：ＭＡ−８（三菱マテリアル（株）製）                      ２３重量部分散剤：ソルスパース５０００（ゼネカ（株）製）                      １．４重量部ラジカル重合性を有する化合物：トリメチロールプロパントリアクリレート（大阪有機化学工業社製）
５重量部光重合開始剤：イルガキュア３６９（チバスペシャリティケミカルズ（株）製）２重量部含フッ素化合物：モディパーＦ−６００（日本油脂（株）製、質量平均分子量３５０００）
５重量部である。
【００８９】
続いてストライプ状のパターンであるフォトマスクを用いて、超高圧水銀灯により１００ｍＪ／ｃｍ2の露光処理を施し、さらに現像処理を行うことで所望される隔壁パターンを得た。その後、熱風式焼成炉内にて表１から表３に示す焼成条件で加熱処理を施した。
【００９０】
着色インクの調整について以下に説明する。下記組成物を、窒素雰囲気下でアゾビスイソブチルニトリル０．７５重量部を加え、７０℃５時間の条件で反応させ、アクリル共重合体樹脂を得た。
【００９１】
着色インク組成物の組成は、
メタクリル酸                                                          ２０重量部メチルメタクリレート                                                  １０重量部ブチルメタクリレート                                                  ５５重量部ヒドロキシエチルメタクリレート                                        １５重量部乳酸ブチル                                                          ３００重量部であり、得られたアクリル共重合体樹脂が、全体に対して１０重量％になるようにプロピレングリコールモノメチルエーテルアセテートを用いて希釈し、アクリル共重合体樹脂の希釈液を得た。
【００９２】
この希釈液８０．１ｇに対し、着色顔料１９．０ｇ、分散剤としてポリオキシエチレンアルキルエーテル０．９ｇを添加して、３本ロールにて混練し、赤色、緑色、青色の各着色ワニスを得た。なお、赤色顔料として、ピグメントレッド１７７を、緑色顔料としてピグメントグリーン３６を、青色顔料としてピグメントブルー１５を、各々使用した。
【００９３】
得られた各着色ワニスに、プロピレングリコールモノメチルエーテルアセテートを、その顔料濃度が１２〜１５重量％、粘度が１５ｃｐｓになるように、各々調整して添加し、赤色、緑色、及び青色着色インクを得た。
【００９４】
カラーフィルタの作製した。以下に説明する。図１に示される本発明の吐出装置を用いて、着色層を形成した。ここで、各セルの理想総液量Ｍは６６０ｐｌ、設定量ｍは２４ｐｌ、ドロップ数の増減数ｂは２、１ドロップの吐出量ａは６ｐｌである。
【００９５】
次に、吐出装置のインクジェットノズルヘッドコントローラー４（図１参照）に数２に示された数式で各セルのドロップ数を決定するプログラムを組み込み、画素部の形成を行った。
【００９６】
実施例１の結果は、図１２、図１３の各表は基板上着色層の各セルを示し、図１２は、ドロップ数は補正前の各セルのドロップ数であり、図１３は、実施例１での補正後のドロップ数である。
【００９７】
実施例１の各セルの総液量を実測した結果、補正後の平均総液量Ｍ´´は６６０．０７７ｐｌと理想総液量Ｍの６６０ｐｌに近い値となり、全体として色ムラの低減されたカラーフィルタとなった。
【００９８】
以上のように、ノズルごとの吐出量のバラツキを測定して、ノズルごとに吐出量を制御することなく、短時間で各着色層のセルごとの吐出量のバラツキを低減し、高精度なカラーフィルタを製造することができた。
【００９９】
本発明の吐出装置による吐出パターン生成方法の比較例として、従来の吐出パターン生成方法を用いた実施例２を実施した。以下に、詳細に説明する。
【実施例２】
【０１００】
実施例２は、総ドロップ数は、実施例１の補正前の基準ドロップ数を各セルへの吐出し、理想総液量Ｍは６６０ｐｌの塗布条件で着色層を形成し、それ以外は実施例１の方法と同様の方法である。実施例２の結果は、平均総液量Ｍ´´は図７のようになる。このように、セルライン上では同一のノズルヘッドを用いている、セルライン内の吐出量はほぼ等しくなってしまい、異なるノズルヘッドを用いたセルライン間の吐出量がバラツキ、セルライン内の標準偏差とセルライン間の標準偏差とが離散した、その色ムラが視覚的に目立ってしまった。
【図面の簡単な説明】
【０１０１】
【図１】本発明の吐出パターン生成装置の全体構成図例を示す概略図。
【図２】シェアウェーブモードのインクジェットノズルヘッドのノズル概略図。
【図３】シェアウェーブモードのインク吐出動作フローチャート。
【図４】インクジェットノズルヘッドのノズルから有効なノズルを選択する概略図。
【図５】セル内の乱数により１つ選択されたノズルを示す概略図。
【図６】セル内の乱数により２つ選択されたノズルを示す概略図。
【図７】調整前のセル内総液量の図表。
【図８】乱数の一例を示す図。
【図９】乱数のパワースペクトルを示す図。
【図１０】低周波数の乱数を除去した乱数を示す図。
【図１１】低周波数の乱数を除去した乱数のパワースペクトルを示す図。
【図１２】調整前のドロップ数の図表。
【図１３】実施例１の結果のドロップ数の図表。
【符号の説明】
【０１０２】
１…インクジェットノズルヘッド
２…インクジェットノズルヘッドユニット
３…基板置き台
４…インクジェットノズルヘッドコントローラー
５…ノズル
６…有効なノズル
７…隔壁開口部
【図１】
0005458474.tif 000005
【図２】
0005458474.tif 000006
【図３】
0005458474.tif 000007
【図４】
0005458474.tif 000008
【図５】
0005458474.tif 000009
【図６】
0005458474.tif 000010
【図７】
0005458474.tif 000011
【図８】
0005458474.tif 000012
【図９】
0005458474.tif 000013
【図１０】
0005458474.tif 000014
【図１１】
0005458474.tif 000015
【図１２】
0005458474.tif 000016
【図１３】
0005458474.tif 000017